(57)【要約】【課題】雨水や湧水による土壌の流出をなくすと共に、予定外の雑草や樹木の発芽を防止して保守点検等の管理作業を極力なくすことができる法面の施工方法を提供する。【解決手段】繊維をからませて厚みのあるシート状にした全体が導水性を有する表面排水シート２と、遮光性・透水性を有する防草シート３とを重ねて点状又は線状となる接着部４で両者を接着したシート体１を、法面の土壌６上に表面排水シート２側を土壌６に接触させながら敷設して固定する法面の施工方法。【選択図】図５
2018066159.tif 000002
【特許請求の範囲】
【請求項１】
繊維をからませて厚みのあるシート状にした全体が導水性を有する表面排水シートと、遮光性・透水性を有する防草シートとを重ねて点状又は線状となる部分で両者を接着したシート体を、法面の土壌上に表面排水シート側を土壌に接触させながら敷設して固定することを特徴とする法面の施工方法。
【請求項２】
シート体を法面に敷設後、シート体の上からモルタルを吹き付けたことを特徴とする請求項１に記載の法面の施工方法。
【請求項３】
法面上に植栽袋を設置してから上記シート体を敷設して固定し、その後植栽袋を覆う部分のシート体に穴を空けて植栽袋に蔓性植物を植栽し、前記植栽袋から穴を通じて外側に伸びた蔓性植物で法面を覆うことを特徴とする請求項１に記載の法面の施工方法。
【請求項４】
請求項１乃至３のいずれか１項に記載の法面の施工方法に使用されるシート体であって、繊維をからませて厚みのあるシート状にした全体が導水性を有する表面排水シートと、遮光性・透水性を有する防草シートを重ねて点状又は線状となる部分で両者を接着したことを特徴とするシート体。
【発明の詳細な説明】
【技術分野】
【０００１】
この発明は、高速道路や宅地造成で発生する法面の施工方法に関し、更に詳しくは、地山の表土を安定させながら、雑草や樹木の倒木を防止するための保守点検等の管理作業を極力なくすことができる法面の施工方法に関するものである。
【背景技術】
【０００２】
従来より、山間部を通る高速道路、有料道路その他の一般道路の造成や宅地造成において、切土や盛土を行った部分の側面は傾斜を有する法面となっており、この法面の補強のためモルタルを吹き付けたり、景観の向上等を目的として法面緑化が行われていた。
【０００３】
法面緑化方法には、法面の土壌に緑化に有効な植物を直接植え込んだりそれらの種を撒いて植物を生長させる方法が主流であるが、土壌には鳥の糞や風によって運ばれた多種の植物の種（飛来種子）が落とされるので、本来予定した以外の植物が生長してしまうことがあり、そのまま放置すると、例えば、大きな樹木等が繁殖すると倒木等により道路の安全が損なわれたり景観も損なわれたりするので、定期的な保守点検作業により、これら入り込んだ植物を監視し刈り取る必要があった。
【０００４】
しかし、山国である日本においては、高速道路、鉄道等のために形成された法面の総延長が長く、全ての法面に保守点検により不要な樹木の成長を監視して除去するのは現実的では無いため、モルタルを吹き付けたり、法面を防草処理した上に蔦類をはわせたりしてつる性植物で緑化する方法があった（例えば、特許文献１及び２参照）。
【０００５】
また、モルタルを吹き付けずに防草処理する方法としては、遮光性、透水性などに優れた、いわゆる防草シートを用い、地面に防草シートを敷設することで、飛んできた種子による雑草や樹木の発芽自体を阻止する技術があり（例えば、特許文献３参照）、この防草シートの上に例えば蔦などの蔓性植物を繁茂させる方法もあった。
【０００６】
一方、法面の土壌に直接植物を植え込んで緑化する方法の場合、植物の植え込み前や植物の生長前に、豪雨により土壌が流出してしまうおそれがあったので、土壌の流出や風化を防ぐ種々の手段が考えられていた。その一例として、撥水性細繊維をランダムに絡み合わせて形成したシート状体（表土保護シート）を、法面土壌上に敷設し、表土保護シートの中に雨水を含めて導水路として雨水を土壌に達すること無く下に流すと共に、この表土保護シートが土壌に密着して土壌の流出を防ぐ手段が考えられていた（例えば、特許文献４参照）。
【先行技術文献】
【特許文献】
【０００７】
【特許文献１】特開平０８−０２０９５１号公報
【特許文献２】特開平０９−０２４４６１号公報
【特許文献３】特許第２９９７２１１号公報
【特許文献４】特許第２７６４２２２号公報
【発明の概要】
【発明が解決しようとする課題】
【０００８】
ところで、法面の地山表面にモルタルを直接吹き付けて補強を行った場合、モルタルと地山との間に湧水や降雨による流水が生じ、地山の表層を流したり風化させたりしながらモルタルと地山の間に空洞ができて法面自体が不安定になり、場合によってはモルタルの崩壊及び地山の崩壊が発生するおそれがあった。
【０００９】
また、特許文献３のような防草シートについても、地山の表層と防草シートの間に隙間が生じて、その隙間に湧水が地山の表層を流れて防草シート裏面側と土壌との間に空洞が生じてしまい、土壌の更なる崩壊を起こすおそれがあった。
【００１０】
一方、上記特許文献４の表土保護シートによって、法面の表土が流出することなく植物を生育させて緑化することが可能になり、２〜３年以内に所定の緑化ができれば地山の表層は安定する。しかし、生長に時間がかかる緑化植物を用いた場合、希に紫外線や風雨によって植物の成長前に表土保護シートが劣化して地山の表層が流出する場合もあった。
【００１１】
また、上記特許文献４の表土保護シートを用いても、土壌に直接植物を植栽して緑化する場合と同様、予定された緑化植物以外に、鳥の糞や風によって運ばれた多種の植物の種が落とされ、予定外の植物が生長し倒木等による影響や、景観を損なう問題が残り、定期的な雑草や樹木除去の保守作業が依然として必要であり、高速道路や鉄道の側面等の法面においては、その距離が膨大であり、保守点検も容易ではなかった。
【００１２】
また、上記特許文献３の防草シートは、雑草や樹木の種子の法面への付着による発芽を防ぐことができるが、法面緑化の目的には合致しないばかりか、単純に法面の土壌をシートで覆っているだけで土壌面を抑えてるわけではなく、防草シートと土壌の間に隙間ができ、豪雨の際、この隙間の土壌が浮いてしまい土壌流出のおそれがある。そのため、法面の土壌強化（流出防止）も目的の一つである法面緑化に代えて使用できるものではなかった。
【００１３】
上記特許文献１と２の方法によれば、法面や壁面に土壌が無く、緑化用植物以外に植物の種が付着することがないので保守作業が必要なくなると共に緑化を果たせることになる。しかしながら、コンクリート表面上を蔓性植物が直接覆っているので、日差しが強い屋外では、コンクリートが熱を持ち、蔓性植物が枯れてしまうおそれがある。
【００１４】
この発明は、上記のような課題を解決し、道路や宅地造成等で発生する法面の施工方法において、地山の表土を安定させながら、防草したり、防草した上に蔦等をはわせたり、又はその上にモルタルなどを吹き付けることで、雨水や湧水による土壌の流出をなくすと共に、予定外の雑草や樹木の発芽を防止して保守点検等の管理作業を極力なくすことができる法面の施工方法を提供するものである。
【課題を解決するための手段】
【００１５】
上記の課題を解決するために、請求項１の発明は、繊維をからませて厚みのあるシート状にした全体が導水性を有する表面排水シートと、遮光性・透水性を有する防草シートとを重ねて点状又は線状となる部分で両者を接着したシート体を、法面の土壌上に表面排水シート側を土壌に接触させながら敷設して固定することを特徴とする法面の施工方法である。
【００１６】
また、請求項２の発明は、上記請求項１に記載の法面の施工方法において、シート体を法面に敷設後、シート体の上からモルタルを吹き付けたことを特徴とする法面の施工方法である。
【００１７】
更に、請求項３の発明は、上記請求項１に記載の法面の施工方法において、法面上に植栽袋を設置してから上記シート体を敷設して固定し、その後植栽袋を覆う部分のシート体に穴を空けて植栽袋に蔓性植物を植栽し、前記植栽袋から穴を通じて外側に伸びた蔓性植物で法面を覆うことを特徴とする法面の施工方法である。
【００１８】
また、請求項４の発明は、繊維をからませて厚みのあるシート状にした全体が導水性を有する表面排水シートと、遮光性・透水性を有する防草シートを重ねて点状又は線状となる部分で両者を接着したことを特徴とする上記請求項１乃至３のいずれか１項に記載の法面の施工方法に使用されるシート体。
【００１９】
上記各発明において、表面排水シートとは、特許文献４で示した、いわゆる表土保護シートとして用いられているものが該当し、また、防草シートとしては、特許文献３で示した、法面や土壌で雑草の繁茂を防止するために用いられている遮光性・透水性を有する一般的な防草シートでよい。
【００２０】
また、請求項３における蔓性植物としては、例えば蔦等があるが、これに限定されず、長く法面に沿って下側に垂れ下がったり上側に絡みついて伸びるもの等、法面緑化の目的を達成する蔓性植物であれば、特に限定されるものではなく、また、植栽袋とは、これらの蔓性植物を植栽して根を張る部分の土等を内部に有する袋体等をいう。
【発明の効果】
【００２１】
以上のように、請求項１の発明によれば、表面排水シートと防草シートが全体的に接合されているのではなく、予め点状や線状となる部分で点在的に固定されているので、法面地山の多少の凹凸のある土壌に敷設する際、シート体の表面排水シートが上側の防草シートの強度に引かれて土壌から浮いてしまうことがなく、表面排水シートは土壌表面に密着するようになり、豪雨による雨水が土壌にしみこむ前に表面排水シートにより誘導され表面排水シート内で下方に流されると共に、表面排水シートの厚みが土壌表面の凹凸となじんで密着して隙間を生じないようにしているので、隙間の存在による土壌の流出を防ぐことができる。
【００２２】
また、表面排水シートが、地山に密着しながら土壌の排水をすると共に、少し隙間の空いた状態で防草シートが長期間防草しながら、表面排水シートのカバーとなり紫外線劣化を防止することで、表面排水シートの長期間の効果を持続させることができる。
【００２３】
更に、表面排水シートと防草シートを一体化したシート体としておくことで、敷設作業が１回で済み、土壌に表面排水シートを張ってから、防草シートを張る場合、隙間が広くなりすぎたり、施工時間も長くなり余分に目串が必要となったりするコストアップをなくすことができると共に、２回目の防草シートの張り付け作業時に表面排水シートを踏み抜いて破く等の作業ミスも防ぐことができる。
【００２４】
次に、請求項２の発明によれば、法面の土壌にシート体を敷設後にその上からモルタルを吹き付けるので、直接、表面排水シートの隙間にモルタルが入り込むことを防草シートがバリヤになり防止できるので、排水部分が固まり排水効果が落ちるのを防ぐことができると共に、モルタルが経年変化でひび割れを起こしたり穴が生じても、モルタル直下の防草シートがひび割れ等への雑草の種子の入り込みを防ぐと共に、表面排水シートが土壌表面の凹凸に沿って密着して土壌表面上に空間（隙間）が生じず、また水分を誘導して下に流すので、土壌やモルタルの崩壊を長期にわたって防ぐことができる。
【００２５】
次に、請求項３の発明によれば、法面の上に植栽袋の設置後、シート体の敷設を行い、上記請求項１の発明のように、雨水による土壌の崩壊を防ぐと共に、植栽袋から伸びた蔓性植物による法面の緑化を行い法面の景観を向上させつつ、飛来種子などにより生えて欲しくない飛来種子（樹木や雑草）を抑えながら緑化することが可能であるので、台風等による倒木等の管理・点検作業を大きく軽減することができる。
【００２６】
なお、防草シートはモルタルと違って真夏でも熱くなりすぎず、蔓性植物の成長を阻害しないし、また、熱に弱い植物も含めて緑化植物の選択範囲が広がる。
【００２７】
また、請求項４の発明のシート体を、予め作製して用意しておけば、上記請求項１乃至３における法面の施工方法に最適に使用することができる。
【図面の簡単な説明】
【００２８】
【図１】この発明に係るシート体を示す分解斜視図である。
【図２】表面排水シートの構造を示す分解斜視図である。
【図３】この発明に係るシート体の構造を示す分解斜視図である。
【図４】この発明の法面の施工方法を示す断面図である。
【図５】同上の断面図である。
【図６】同上の断面図である。
【図７】この発明の法面の施工方法の第２の実施形態を示す断面図である。
【図８】同上の断面図である。
【図９】この発明の法面の施工方法の第３の実施形態を示す断面図である。
【図１０】同上の断面図である。
【図１１】同上の断面図である。
【発明を実施するための形態】
【００２９】
以下、この発明の実施形態を、添付図面に基づいて説明する。
まず、以下の各実施形態で使用されるシート体について説明する。
【００３０】
図１で示すように、この発明に係るシート体１は、繊維をからませて厚みのあるシート状にした全体が導水性を有する表面排水シート２と、遮光性・透水性を有する防草シート３を重ねて点状又は線状の接着部４で両者を接着して構成される。
【００３１】
シート体１の大きさは、特に限定されないが、その大きさ（面積）は小さすぎると地山への敷設の手間が増え、大きすぎると敷設作業が困難になったり無駄な面積が生じたりするので、任意の範囲で法面に敷設する際の作業性を考慮して、１ｍ×５０ｍ〜１ｍ×１００ｍ間の大きさの長方形とするのが好ましく、本実施形態では例として１ｍ×５０ｍの長方形としておく。もちろん、上記の寸法や形状に限定されるものではなく、使用される製造装置や敷設方法等により適宜な寸法や形状で製造すればよい。
【００３２】
表面排水シート２を構成する繊維は、天然繊維または合成繊維のいずれでもよく、また、繊維は１種類からなるものでも複数種類からなるものであってもよく、太さや繊度等が異なる繊維の組み合わせでもよく、これらの繊維をからませたり点在的に接合して組み合わせて厚みのあるシート状としたもので、要するに、内部に水を含有させる程度の繊維のからみがあればよい。
【００３３】
また、表面排水シート２の厚みとしては、表土の凹凸に密着可能な程度の平面性や柔軟性を失わないように、かつ内部に水を保水して流すことができる程度の厚みがあれよく、使用場所の環境によって異なるが、通常は約１ｍｍ〜３００ｍｍ、好ましくは約５ｍｍ〜１００ｍｍ程度の厚みの範囲であればよく、本実施形態としては例として１０ｍｍ程度の厚みのものを用いる。
【００３４】
なお、表面排水シート２の繊維のからみがほどけてシート形状が分解しないように、例えば表面排水シート自体に適宜間隔で接着を行うか、又は図２に示すように片面を粗い網目シート５を接続することで、誘導、排水機能を損なわない範囲で補強することもできる。
【００３５】
防草シート３としては遮光性・透水性を有するもので、その材質や厚みは、植物の種子を土壌に根付かせない目的の範囲内で耐久性等を考慮して適宜選択して使用すればよい。この防草シート３と上記表面排水シート２を図３で示すように重ねて接続固定して、接着部４の形成により図１のような１枚のシート体１とする。
【００３６】
表面排水シート２と防草シート３の接着固定は、シート全面で接着するのではなく、両シートを点在的に点接触又は線接触状態となる接着部４で接着固定しておき、こうすることにより防草シート３のコシに引きずられて表面排水シート２が地山の凹凸に密着できない事態を防ぎ、表面排水シート２が地山の凹凸に密着して土壌水分を十分に誘導できるようになる。
【００３７】
点状又は線状での接着状態となる接着部４の接続方法は特に限定されず、耐久性を考慮した上で接着剤による接着や縫い込み等適宜手段を用いることができ、また、接着部４の数が多すぎると全面接着したものと差異がなくなり表面排水シート２の土壌への密着性が劣り、逆に接着部４の数が少なすぎると、両シートの間に隙間が空きすぎたり剥がれたりするので、各接着部４の間隔は１０ｃｍ〜１ｍ程度の間隔で適宜決定すればよく、本実施形態では縦横で約３０ｃｍ程度の間隔を空けて接着している。もちろん、これら接着部４の数や間隔等は限定されるものではなく、適宜選択して実施することができる。
【００３８】
次に、法面の施工方法の第１の実施形態を図４乃至図６に基づいて説明する。
まず、高速道路の建設等により山や丘陵地を切り崩した法面の地山表面の土壌６上に、先に説明したシート体１を、防草シート３を上側に、表面排水シート２を下側にして土壌６に密着させるように敷設する（図４，図５参照）。
【００３９】
シート体１を敷設後、図６で示すように、シート体１の上から複数のアンカーピン７を土壌６に達するまで差し込んで、シート体１を法面に固定する。この際、表面排水シート２が地山の土壌６によく密着するように、主に土壌６の凹部部分にてアンカーピン７で固定すればよい。
【００４０】
更に、設置後のシート体１に隣り合う部分に別のシート体１ａ、１ｂ等を端辺を少し重ねるようにして敷設していき、法面全体をシート体１、１ａ、１ｂ・・・で覆うようにして法面の施工が完成する。
【００４１】
上記構成により、法面地山の凹凸のある土壌６にシート体１の表面排水シート２が密着して固定されているので、雨水による土壌６の水分が表面排水シート２により誘導されてこの表面排水シート２の内部をつたって下方に流され、また、表面排水シート２が土壌６の表面の凹凸となじんで密着して隙間を生じないので土壌６の流出を防ぐことができると共に、防草シート３が長期間防草しながら、表面排水シート２のカバーとなり紫外線劣化等を防止し表面排水シート２の長期間の効果を持続させる。
【００４２】
次に、法面の施工方法の第２の実施形態を主に図７及び図８に基づいて説明する。
まず、上記第１の施工方法の図４乃至図６と同様に、法面の土壌６にシート体１を１枚以上敷設して法面全体をシート体１（１ａ、１ｂ・・・）で覆う。
【００４３】
図７に示すように、敷設されたシート体１の上からモルタル８を吹き付けてシート体１の表面全体を覆い、その後モルタル８を自然固化させることにより、図８で示すような表面がモルタルで覆われた法面の施工が完了する。
【００４４】
この第２の実施形態の法面の施工方法の場合、第１の実施形態と同様の表面排水シート２の機能を保持したままで、モルタル８の吹き付け作業時に防草シート３がバリヤになり表面排水シート２の隙間にモルタル８が入り込むことを防止し表面排水シート２の繊維の目詰まりや埋設による排水効果が落ちるのを防ぐことができ、また、防草シート３はモルタル８の経年変化によって剥がれ落ちたりした穴から雑草や樹木の種子の入り込みを防ぎ、雑草や樹木の成長による更なるモルタル８の崩壊を防ぐことにもなる。
【００４５】
次に、法面の施工方法の第３の実施形態を図９乃至図１１に基づいて説明する。
まず、植物の根が張るための土を内部に含んだ植栽袋９を複数個用意する。
【００４６】
この植栽袋９は、植物に対して根を通じて栄養を供給するための土を袋体内に詰め込んだ土嚢のようなものであるが、土に代えて植物に対して土と同様の作用を有するものでもよく、またこれら土等を保持できるものであれば、植栽袋９の外皮や担体の材料、寸法、形態についても特に限定されるものではない。
【００４７】
この植栽袋９を法面の適宜部分にてアンカーピン７を植栽袋９と土壌６に通すことにより固定する。図９では法面の上端部、中央付近、下端部に植栽袋９を固定したが、固定場所やその数については特に限定されるものではなく、法面の高さや植栽される植物の特性等を考慮して適宜決定すればよい。また、その固定方法もアンカーピン７に限らず適宜手段を用いることができる。
【００４８】
植栽袋９の設置後、図１０に示すように、上記第１の施工方法と同様の手法により、法面の土壌にシート体１を１枚以上敷設して法面の土壌６及び植栽袋９をシート体１で覆い、アンカーピン７等を用いて固定する。
【００４９】
シート体１で法面を覆った後、植栽袋９を覆う部分のシート体１（防草シート３及び表面排水シート２）に表面側から穴を空け（図示せず）、この穴を通じて植栽帯９の土に蔓性植物１０を植栽、又は種子を撒いて、蔓性植物１０を成長させる（図１１参照）。
【００５０】
蔓性植物１０には、蔓を重力にさからわず下側に伸ばすものと他のものにからみつきながら蔓を上側に伸ばすものがあり、これらの種類を適宜選択して植栽することで、法面に点在的に配置された植栽袋９から伸びた蔓性植物１０が法面全体を覆うことができるようになる。
【００５１】
この施工方法によれば、表面排水シート２により雨水による土壌６の崩壊を防ぐと共に、蔓性植物１０による法面の緑化を行い法面の景観を向上させつつ、蔓性植物１０の直下の防草シート３が飛来種子などにより生えて欲しくない飛来種子を抑えるので、従来の緑化法面に必要であった台風等による倒木等の管理・点検作業が不要になると共に、防草シート３は真夏でも熱くなりすぎず、蔓性植物１０の成長を阻害しない利点もある。
【符号の説明】
【００５２】
１  シート体
２  表面排水シート
３  防草シート
４  接着部
５  網目シート
６  土壌
７  アンカーピン
８  モルタル
９  植栽袋
１０  蔓性植物
【図１】
2018066159.tif 000003
【図２】
2018066159.tif 000004
【図３】
2018066159.tif 000005
【図４】
2018066159.tif 000006
【図５】
2018066159.tif 000007
【図６】
2018066159.tif 000008
【図７】
2018066159.tif 000009
【図８】
2018066159.tif 000010
【図９】
2018066159.tif 000011
【図１０】
2018066159.tif 000012
【図１１】
2018066159.tif 000013